(57)【要約】【構成】  情報処理システム（１０）は、画像形成装置（１２）および複数のユーザ端末（１４）を含み、ユーザ端末（１４）のディスプレイ（５２）には、設定画面１００が表示される。設定画面１００には、メインタブ１０２およびサブタブ１０４が設けられ、メインタブ１０２が選択された状態のメイン画面には、固定領域１４０および追加領域１５０が含まれる。固定領域１４０には、第１設定項目に対応する第１項目画像１４２が配置される。サブタブ１０４が選択された状態のサブ画面には、第１設定項目とは異なる第２設定項目が表示される。サブ画面に含まれる第２設定項目の設定が変更された場合、当該第２設定項目に対応する第２項目画像１４４が追加領域１５０に表示される。【効果】  変更された設定項目を容易に確認することができる。【選択図】  図６
2018085007.tif 000002
【特許請求の範囲】
【請求項１】
画像形成装置についての所定の第１設定項目を含むメイン画面と、前記第１設定項目とは異なる第２設定項目を含むサブ画面とを切り替えて表示手段に表示させる表示制御装置であって、
前記サブ画面に含まれる前記第２設定項目の設定が変更された場合、設定が変更された当該第２設定項目を前記メイン画面に追加する追加手段を備える、表示制御装置。
【請求項２】
前記メイン画面は、前記第２設定項目が追加される追加領域を含む、請求項１記載の表示制御装置。
【請求項３】
前記追加手段は、前記第２設定項目の設定が所定回数変更された場合に、設定が変更された当該第２設定項目を前記メイン画面に追加する、請求項１または２記載の表示制御装置。
【請求項４】
前記メイン画面に追加された前記第２設定項目の表示位置を変更する変更手段をさらに備える、請求項１ないし３のいずれかに記載の表示制御装置。
【請求項５】
前記メイン画面に追加された前記第２設定項目を情報アイコンによって表示させる表示変更手段をさらに備える、請求項１ないし４のいずれかに記載の表示制御装置。
【請求項６】
前記メイン画面に追加された前記第２設定項目を削除する削除手段をさらに備える、請求項１ないし５のいずれかに記載の表示制御装置。
【請求項７】
前記メイン画面に追加された前記第２設定項目の設定が初期設定に変更された場合、当該第２設定項目は、前記メイン画面から削除される、請求項１ないし６のいずれかに記載の表示制御装置。
【請求項８】
画像形成装置についての所定の第１設定項目を含むメイン画面と、前記第１設定項目とは異なる第２設定項目を含むサブ画面とを切り替えて表示手段に表示させる表示制御装置の制御方法であって、
（ａ）前記サブ画面に含まれる前記第２設定項目の設定が変更された場合、設定が変更された当該第２設定項目を前記メイン画面に追加する、制御方法。
【請求項９】
画像形成装置についての所定の第１設定項目を含むメイン画面と、前記第１設定項目とは異なる第２設定項目を含むサブ画面とを切り替えて表示手段に表示させる表示制御装置の制御プログラムであって、
表示制御装置のプロセッサに、
前記サブ画面に含まれる前記第２設定項目の設定が変更された場合、設定が変更された当該第２設定項目を前記メイン画面に追加する追加ステップを実行させる、制御プログラム。
【発明の詳細な説明】
【技術分野】
【０００１】
この発明は、表示制御装置、制御プログラムおよび制御方法に関し、特にたとえば、画像形成装置についての所定の第１設定項目を含むメイン画面と、第１設定項目とは異なる第２設定項目を含むサブ画面とを切り替えて表示手段に表示させる、表示制御装置、制御プログラムおよび制御方法に関する。
【背景技術】
【０００２】
この種の背景技術の一例が特許文献１に開示される。この特許文献１に開示される印刷設定処理装置では、印刷設定を行う際に、コンピュータ装置のディスプレイに表示されるプリンタドライバのＧＵＩ（グラフィカルユーザインタフェース）において画面を切り替えるための複数のタブが用いられる。それぞれのタブには、印刷装置の印刷設定項目が機能別に割り当てられる。この背景技術の印刷設定処理装置では、タブに含まれる印刷設定項目の利用頻度によって、タブの並び順が変化する。また、タブに含まれる設定項目は、利用頻度が低いと非表示にされる。さらに、利用頻度が低く、最後尾に移動したタブが、さらに長期間全く利用されなかった場合には、タブ自体が非表示にされる。
【先行技術文献】
【特許文献】
【０００３】
【特許文献１】特開２００６−２８５９６８号公報
【発明の概要】
【発明が解決しようとする課題】
【０００４】
しかしながら、従来の印刷設定処理装置では、タブの配置が変更されてしまうため、利用頻度の少ない印刷設定項目の表示位置がわかり難くなってしまう。
【０００５】
それゆえに、この発明の主たる目的は、新規な、表示制御装置、制御プログラムおよび制御方法を提供することである。
【０００６】
この発明の他の目的は、変更された設定項目を容易に確認することができる、表示制御装置、制御プログラムおよび制御方法を提供することである。
【０００７】
この発明のその他の目的は、設定項目の表示位置がわかり難くなることを防止することである。
【課題を解決するための手段】
【０００８】
第１の発明は、画像形成装置についての所定の第１設定項目を含むメイン画面と、第１設定項目とは異なる第２設定項目を含むサブ画面とを切り替えて表示手段に表示させる表示制御装置である。第１設定項目は、画像形成装置において印刷が行われる際の基本的な設定項目である。第２設定項目は、第１設定項目よりも詳細な設定を行うための設定項目である。表示制御装置は、追加手段を備える。追加手段は、サブ画面に含まれる第２設定項目の設定が変更された場合、設定が変更された当該第２設定項目をメイン画面に追加する。
【０００９】
第１の発明によれば、サブ画面に含まれる第２設定項目の設定が変更された場合、設定が変更された当該第２設定項目をメイン画面に追加するようにした。このため、変更された設定項目の設定内容を容易に確認することができる。また、第１の発明によれば、設定項目の表示位置がわかり難くなることを防止することができる。
【００１０】
第２の発明は、第１の発明に従属する表示制御装置であって、メイン画面は、第２設定項目が追加される追加領域を含む。
【００１１】
第２の発明によれば、第２設定項目が追加領域に追加されるので、ユーザが、第２設定項目が追加される場所を認識しやすくなり、変更された設定項目の設定内容を容易に確認することができる。
【００１２】
第３の発明は、第１または第２の発明に従属する表示制御装置であって、追加手段は、第２設定項目の設定が所定回数変更された場合に、設定が変更された当該第２設定項目をメイン画面に追加する。
【００１３】
第３の発明によれば、設定が変更された回数の多い第２設定項目がメイン画面に追加される。このため、設定が変更された回数の多い第２設定項目をメイン画面で変更することができるようになり、使い勝手が良い。
【００１４】
第４の発明は、第１ないし第３のいずれかの発明に従属する表示制御装置であって、メイン画面に追加された第２設定項目の表示位置を変更する変更手段をさらに備える。
【００１５】
第４の発明によれば、メイン画面に追加された第２設定項目の表示位置を変更することができるので、使い勝手が良い。
【００１６】
第５の発明は、第１ないし第４のいずれかの発明に従属する表示制御装置であって、メイン画面に追加された第２設定項目を情報アイコンによって表示させる表示変更手段をさらに備える。
【００１７】
第５の発明によれば、メイン画面に追加された第２設定項目が情報アイコンによって表示されるので、ユーザが第２設定項目の設定を直感的に把握することができる。
【００１８】
第６の発明は、第１ないし第５のいずれかの発明に従属する表示制御装置であって、メイン画面に追加された第２設定項目を削除する削除手段をさらに備える。
【００１９】
第６の発明によれば、メイン画面に追加された第２設定項目のうち、不要な第２設定項目が存在する場合に、当該第２設定項目を削除することができるので、使い勝手が良い。
【００２０】
第７の発明は、第１ないし第６のいずれかの発明に従属する表示制御装置であって、メイン画面に追加された第２設定項目の設定が初期設定に変更された場合、当該第２設定項目は、メイン画面から削除される。
【００２１】
第７の発明によれば、メイン画面に追加された第２設定項目のうち、設定を初期設定に戻す第２設定項目が存在する場合に、当該第２設定項目を削除することができるので、使い勝手が良い。
【００２２】
第８の発明は、画像形成装置についての所定の第１設定項目を含むメイン画面と、第１設定項目とは異なる第２設定項目を含むサブ画面とを切り替えて表示手段に表示させる表示制御装置の制御方法であって、（ａ）サブ画面に含まれる第２設定項目の設定が変更された場合、設定が変更された当該第２設定項目をメイン画面に追加する。
【００２３】
第９の発明は、画像形成装置についての所定の第１設定項目を含むメイン画面と、第１設定項目とは異なる第２設定項目を含むサブ画面とを切り替えて表示手段に表示させる表示制御装置の制御プログラムであって、表示制御装置のプロセッサに、サブ画面に含まれる第２設定項目の設定が変更された場合、設定が変更された当該第２設定項目をメイン画面に追加する追加ステップを実行させる。
【００２４】
第８および第９の発明においても、第１の発明と同様に、変更された設定項目を容易に確認することができる。
【発明の効果】
【００２５】
この発明によれば、変更された設定項目を容易に確認することができる。
【図面の簡単な説明】
【００２６】
【図１】図１はこの発明の表示制御システムの構成の一例を示す図である。
【図２】図２は図１に示すユーザ端末の電気的な構成を示すブロック図である。
【図３】図３はメイン画面の一例を示す図解図である。
【図４】図４はサブ画面の一例を示す図解図である。
【図５】図５は設定項目が変更されたサブ画面の一例を示す図解図である。
【図６】図６は設定項目が追加されたメイン画面の一例を示す図解図である。
【図７】図７は図２に示すユーザ端末のＲＡＭのメモリマップの一例を示す図解図である。
【図８】図８は図２に示すユーザ端末のＣＰＵの印刷設定表示処理の一例の一部を示すフロー図である。
【図９】図９は印刷設定表示処理の他の一部であって、図８に後続するフロー図である。
【図１０】図１０は第２実施例における設定項目テーブルの一例を示す図解図である。
【図１１】図１１は第３実施例における設定項目が移動される前の設定画面の一例を示す図解図である。
【図１２】図１２は第３実施例における設定項目が移動された後の設定画面の一例を示す図解図である。
【図１３】図１３は第４実施例における設定画面の一例を示す図解図である。
【図１４】図１４は第４実施例における設定画面の他の例を示す図解図である。
【発明を実施するための形態】
【００２７】
［第１実施例］
図１はこの発明の情報処理システム１０の構成の一例を示す図である。
【００２８】
図１を参照して、この発明の第１実施例である情報処理システム１０は画像形成装置１２を含み、この画像形成装置１２は、ローカルエリアネットワーク（ＬＡＮ）のようなネットワーク１６を介して、複数のユーザ端末１４と通信可能に接続される。ただし、画像形成装置１２およびユーザ端末１４は直接通信することも可能である。
【００２９】
画像形成装置１２は、複写機能、プリンタ機能、スキャナ機能およびファクシミリ機能などを備えるＭＦＰ（Multifunction Peripheral）である。ただし、この第１実施例では、画像形成装置１２は、少なくともプリンタ機能を備えていればよい。
【００３０】
画像形成装置１２は、画像読取部および画像形成部を備える。画像読取部は、光源、複数のミラー、結像レンズおよびラインセンサ等を備える。この画像読取部は、原稿表面を光源によって露光し、原稿表面から反射した反射光を複数のミラーによって結像レンズに導く。そして、結像レンズによって反射光をラインセンサの受光素子に結像させる。ラインセンサでは、受光素子に結像した反射光の輝度や色度が検出され、原稿表面の画像に基づく読取画像データが生成される。
【００３１】
また、画像形成部は、汎用のレーザプリンタであり、感光体、帯電器、露光装置、現像装置、転写装置、定着装置などを備え、画像処理回路で処理された画像データ（印刷用画像データ）に対応する画像を記録紙（用紙）などに印刷する。簡単に説明すると、レーザプリンタでは、帯電された感光体ドラムに静電潜像が形成され、この静電潜像にトナーが現像される。つまり、トナー像が形成される。そして、感光体ドラムに形成されたトナー像が転写ローラによって用紙に転写され、転写されたトナー像が溶融および圧接されることにより、用紙に定着される。したがって、印刷用画像データに対応する画像が紙面に印刷される。ただし、カラーで印刷する場合には、黒、マゼンタ、シアン、イエローの各色について設けられた感光体ドラムに、各色についての静電潜像が形成され、各色のトナー像が形成され、各色のトナー像が中間転写ローラに一次転写され、その後、用紙に転写（二次転写）される。ただし、上記の印刷用画像データとしては、主として、ユーザ端末１４から送信された（読み込んだ）画像データが用いられる。なお、画像データとしては、画像読取部で原稿を読み取った画像データ（読取画像データ）または画像形成装置１２に装着された外部メモリから読み込んだ画像データ等が用いられても良い。
【００３２】
また、図１に示したユーザ端末１４は、ユーザが使用する汎用のコンピュータ（端末）
であり、具体的には、デスクトップＰＣ、ノート（ラップトップ）ＰＣおよびタブレットＰＣなどが該当する。
【００３３】
図２は図１に示すユーザ端末１４の電気的な構成を示すブロック図である。ただし、図２に示すユーザ端末１４の電気的な構成は単なる一例であり、これに限定される必要はない。
【００３４】
図２を参照して、第１実施例のユーザ端末１４はＣＰＵ４０を含む。ＣＰＵ４０には、バス４２を介して、ＲＡＭ４４、入力制御回路４６、表示制御回路４８、ＨＤＤ５４および通信回路５６が接続される。また、入力制御回路４６には入力装置５０が接続され、表示制御回路４８にはディスプレイ５２が接続される。ディスプレイ５２は、たとえばＬＣＤである。なお、ディスプレイ５２としては、有機ＥＬを用いることもできる。
【００３５】
入力装置５０は、たとえばキーボードまたは／およびコンピュータマウスであり、入力装置５０がキーボードである場合には、ハードウェアの操作ボタンないし操作キーが含まれる。入力装置５０は、ユーザによる操作ボタンないし操作キーの操作に応じて、操作信号（操作データ）をＣＰＵ４０に入力する。また、入力装置５０としては、タッチパネルが用いられても良い。この場合、静電容量方式などの任意の方式のタッチパネルが用いられる。この場合、タッチパネルは、ディスプレイ５２の表示面上に設けられても良いし、ディスプレイ５２とは別に設けられてもよい。ただし、タッチパネルがディスプレイ５２と一体的に形成されたタッチディスプレイが設けられてもよい。
【００３６】
ＣＰＵ４０は、ユーザ端末１４の全体的な制御を司る。ＲＡＭ４４は、ＣＰＵ４０のワーク領域およびバッファ領域として用いられる。通信回路５６は、有線通信回路または無線通信回路であり、ＣＰＵ４０からの指示に従って、ネットワーク１６を介して、他のユーザ端末１４などの外部のコンピュータと通信する。また、通信回路５６は、ネットワーク１６を介して、画像形成装置１２と通信する。ただし、通信回路５６は、近距離無線などによって、ネットワーク１６を介さずに、他のユーザ端末１４または画像形成装置１２と直接通信することが可能である。
【００３７】
入力制御回路４６は、上述した入力装置５０の操作に応じた操作信号ないし操作データをＣＰＵ４０に出力する。たとえば、入力制御回路４６は、入力装置５０がキーボードである場合は、操作ボタンないし操作キーの操作に応じた操作信号ないし操作データをＣＰＵ４０に出力する。また、入力制御回路４６は、入力装置５０がタッチパネルである場合は、タッチパネルに必要な電圧などを付与するとともに、タッチパネルのタッチ有効範囲内でのタッチ操作（タッチ入力）を検出されると、そのタッチ入力の位置を示すタッチ座標データをＣＰＵ４０に出力する。
【００３８】
表示制御回路４８は、ＧＰＵおよびＶＲＡＭなどを含んでおり、ＣＰＵ４０の指示の下、ＧＰＵは、ＲＡＭ４４に記憶された画像生成データ７４ａ（図７参照）を用いて、各種の画面を表示するための画面データをＶＲＡＭに生成し、生成した画面データをディスプレイ５２に出力する。
【００３９】
ＨＤＤ５４は、不揮発性のメモリであり、ユーザ端末１４のオペレーティングシステムや各種のアプリケーションソフトを記憶したり、各種のデータを記憶したりする。また、ＨＤＤ５４に代えて、または、ＨＤＤ５４とともに、ＥＥＰＲＯＭまたはフラッシュメモリのような他の不揮発性の記憶媒体を用いることもできる。
【００４０】
このような構成の情報処理システム１０では、たとえば、ユーザ端末１４において画像形成装置１２における印刷についての種々の詳細設定（以下、「印刷設定」という）が行われる際に、ディスプレイ５２に印刷設定についてのＧＵＩが表示される。プリンタドライバのＧＵＩでは、画面を切り替えるための複数のタブが用いられる。それぞれのタブには、画像形成装置１２の印刷設定項目が機能別に割り当てられる。
【００４１】
従来の情報処理システムでは、タブに含まれる印刷設定項目の利用頻度によって、タブの並び順を変化させることがある。また、従来の情報処理システムでは、利用頻度が低い設定項目が非表示にされることがある。さらに、タブの利用頻度が低い場合には、そのタブを最後尾に移動させ、さらにそのタブが長期間利用されなかった場合には、タブ自体が非表示にされる場合がある。
【００４２】
以上のように、従来の情報処理システムでは、印刷設定のＧＵＩにおけるタブの配置（並び順）が変更されてしまうため、利用頻度の少ない印刷設定項目の表示位置がわかり難くなってしまう。また、利用頻度の少ない印刷設定項目またはタブが非表示にされた場合、変更できない印刷設定項目が生じることになり、不便である。
【００４３】
そこで、この第１実施例の情報処理システム１０は、このような不都合を回避するために、設定項目の表示位置がわかり難くなることを防止するとともに、変更された設定項目を容易に確認することができるようにした。
【００４４】
図３はメインタブ１０２が選択されたメインの設定画面１００の一例を示す図解図である。図４はサブタブ１０４が選択されたサブの設定画面１００の一例を示す図解図である。
【００４５】
以下、メインタブ１０２が選択された状態の設定画面１００をメイン画面と呼び、サブタブ１０４が選択された状態の設定画面１００をサブ画面と呼ぶことがある。ただし、印刷設定モードが設定された場合に最初に表示されるのはメイン画面である。
【００４６】
ユーザ端末１４において印刷を実行する（印刷用画像データを画像形成装置１２に送信する）ときに、ユーザ端末１４のディスプレイ５２には、印刷指示画面（不図示）が表示される。印刷指示画面は、画像形成装置１２に印刷を実行させる指示を行う画面である。この印刷指示画面には、プリンタ選択部、印刷範囲選択部、印刷部数選択部、印刷実行ボタン、印刷中止ボタンおよび印刷設定ボタンが表示される。
【００４７】
プリンタ選択部は、印刷を実行させる画像形成装置１２を選択するために設けられる。たとえば、プリンタ選択部では、ユーザ端末１４に接続された画像形成装置１２がプルダウンメニュー形式で表示される。ユーザは、印刷を実行させる画像形成装置１２をプルダウンメニューから選択する。
【００４８】
印刷範囲選択部は、印刷用画像データが複数の頁（画像）を含む場合に、印刷する画像を選択するために設けられ、たとえば、頁番号を入力するテキストボックスなどである。ユーザは、頁番号などをテキスト入力することによって、印刷する画像を選択する。
【００４９】
印刷部数選択部は、印刷部数を設定するために設けられ、たとえば、印刷部数を入力するテキストボックスなどである。ユーザは、印刷したい部数の数字をテキスト入力することによって、印刷する画像を選択する。
【００５０】
印刷実行ボタンは、印刷を実行させる指示を行うためのボタンである。この印刷実行ボタンが選択されると、印刷用画像データが画像形成装置１２に送信され、印刷（印刷処理）が開始される。印刷中止ボタンは、印刷を実行しない場合に印刷指示画面を閉じるためのボタンである。印刷中止ボタンが選択されると、印刷用画像データが画像形成装置１２に送信されずに（印刷が実行されずに）、印刷指示画面が閉じられる。
【００５１】
印刷設定ボタンは、印刷設定を行う印刷設定モードを設定するためのボタンである。たとえば、印刷される用紙のサイズを選択したり、ページの集約の設定を変更したり、ステープルまたはパンチなどの後処理の設定を変更したりする場合などに、印刷設定モードが設定される。印刷設定モードが設定されると、図３および図４に示すように、ユーザ端末１４のディスプレイ５２には、設定画面１００が表示される。設定画面１００は、上述した印刷指示画面とは別の画面であり、印刷指示画面の前面側（手前側）に重ねて表示される。この設定画面１００には、タブ領域１１０、設定項目領域１２０および指示領域１３０が含まれる。
【００５２】
タブ領域１１０は、設定画面１００の上側に配置され、複数のタブを含む。第１実施例では、タブ領域１１０には、メインタブ１０２および複数のサブタブ１０４が配置される。詳細は後述するが、メインタブ１０２には、画像形成装置１２において印刷が行われる際の基本的な設定項目が割り当てられる。また、複数のサブタブ１０４の各々には、画像形成装置１２で印刷が行われる際の印刷設定についての設定項目が機能別に割り当てられる。
【００５３】
第１実施例では、サブタブ１０４として、給紙タブ１０４２、仕上げタブ１０４４、レイアウトタブ１０４６およびスタンプタブ１０４８がタブ領域１１０に配置される。給紙タブ１０４２は、給紙トレイの選択や出力用紙サイズなどの給紙についての設定項目をサブ画面に表示するためのタブである。仕上げタブ１０４４は、ステープルやパンチなどの仕上げについての設定項目をサブ画面に表示するためのタブである。レイアウトタブ１０４６は、両面印刷やページ集約などの印刷画像のレイアウトについての設定項目をサブ画面に表示するためのタブである。スタンプタブ１０４８は、スタンプの有無などについての設定項目をサブ画面に表示するためのタブである。また、図示は省略するが、サブタブ１０４には、スタンプについての設定項目が含まれるスタンプタブまたは画質についての設定項目が含まれる画質タブなどが含まれる。さらに、ユーザが所定の操作を行うことによって、タブ領域１１０に表示されるサブタブ１０４を切り替えることができる。
【００５４】
設定項目領域１２０は、設定画面１００の上下方向の中央部（タブ領域１１０の下側）に配置される。設定項目領域１２０には、メインタブ１０２および複数のサブタブ１０４毎に分類された設定項目を変更するための、プルダウンメニューなどの項目画像が表示される。
【００５５】
図３に示すように、メイン画面における設定項目領域１２０は、固定領域１４０および追加領域１５０を含む。固定領域１４０および追加領域１５０は、メイン画面における設定項目領域１２０に予め設定されている。設定項目領域１２０において、固定領域１４０は左側に設けられ、追加領域１５０は右側に設けられる。
【００５６】
固定領域１４０には、画像形成装置１２において印刷が行われる際の基本的な設定項目である第１設定項目に対応する第１項目画像１４２が表示される。第１設定項目には、印刷部数、原稿用紙サイズ、出力用紙サイズ、原稿の向きおよびカラーモードについての選択ないし設定を行うための項目が含まれる。固定領域１４０には、これらの第１設定項目に対応する複数の第１項目画像１４２が表示される。
【００５７】
追加領域１５０は、後述する第２設定項目に対応する第２項目画像１４４（図５参照）が追加（表示）される領域である。ただし、追加領域１５０には、初期状態では、第２項目画像１４４は表示されない（配置されない）。
【００５８】
サブ画面における設定項目領域１２０には、第１設定項目よりも詳細な設定を行うための設定項目である第２設定項目に対応する第２項目画像１４４が表示される。たとえば、図４に示すように、レイアウトタブ１０４６に割り当てられた第２設定項目には、ページの集約、両面印刷、ポスター印刷および印刷位置についての選択ないし設定を行うための項目が含まれる。レイアウトタブ１０４６が選択された状態では、設定項目領域１２０には、上記の項目に対応する複数の第２項目画像１４４が表示される。
【００５９】
指示領域１３０は、設定画面１００の下側（設定項目領域１２０の下側）に配置され、この指示領域１３０には、複数の指示ボタン１３２が表示される。第１実施例では、指示領域１３０には、ＯＫボタン１３２ａ、キャンセルボタン１３２ｂ、適用ボタン１３２ｃおよびヘルプボタン１３２ｄが表示される。ＯＫボタン１３２ａは、設定の変更を適用（確定）させて印刷設定の終了を指示する（設定画面１００を閉じる）機能が割り当てられたボタンである。キャンセルボタン１３２ｂは、設定の変更を確定させずに印刷設定の終了を指示する（設定画面１００を閉じる）機能が割り当てられたボタンである。適用ボタン１３２ｃは、印刷設定を終了させずに（設定画面１００を閉じずに）、設定の変更を確定させる機能が割り当てられたボタンである。ヘルプボタン１３２ｄは、ヘルプモードの実行を指示する機能が割り当てられたボタンである。なお、ＯＫボタン１３２ａまたはキャンセルボタン１３２ｂが選択された場合には、設定画面１００が閉じられ、印刷指示画面が表示される。また、適用ボタン１３２ｃが、選択された後に、キャンセルボタン１３２ｂが選択された場合には、適用ボタン１３２ｃが選択される前に変更された設定内容は確定され、適用ボタン１３２ｃが選択されてからキャンセルボタン１３２ｂが選択されるまでの間に変更された設定内容は確定されない。
【００６０】
この第１実施例では、サブタブ１０４に含まれる第２設定項目の設定が変更されると、設定が変更された第２設定項目に対応する第２項目画像１４４が、メイン画面の追加領域１５０に表示（追加）される。
【００６１】
或る第２設定項目の設定が変更された場合、ユーザがメインタブ１０２を選択して、メイン画面が表示されると、その第２設定項目に対応する第２項目画像１４４がメイン画面の追加領域１５０に表示される。したがって、これ以降では、追加領域１５０に表示された第２項目画像１４４に対応する第２設定項目の設定をメイン画面で変更することができる。
【００６２】
また、第２設定項目の設定が変更された後に、ユーザがメインタブ１０２を選択しなければ、サブ画面が表示されたままである。また、上記のように、メイン画面の追加領域１５０に第２設定項目に対応する第２項目画像１４４が表示（追加）された場合であっても、その第２項目画像１４４は、サブ画面から消去されることは無く、設定が変更される前と同じ位置にも表示される。このため、追加領域１５０に表示された第２項目画像１４４に対応する第２設定項目については、メイン画面およびサブ画面のいずれにおいても設定を変更することができる。
【００６３】
ただし、サブタブ１０４に含まれる第２設定項目の設定が変更されると、変更後設定データ７４ｃ（図７参照）が作成される。メイン画面の追加領域１５０に表示される第２項目画像１４４に対応する第２設定項目についてのデータは、変更後設定データ７４ｃに応じて、後述する追加項目データ７４ｄ（図７参照）として記憶される。このため、メイン画面の追加領域１５０に第２項目画像１４４が表示されることとは、追加項目データ７４ｄに第２項目画像１４４に対応する第２設定項目についてのデータが追加されることを意味する。
【００６４】
たとえば、図４に示すように、レイアウトタブ１０４６に割り当てられた“ページ集約”の初期設定は“なし”である。図５に示すように、この“ページ集約”の設定が“なし”から“４ページ”に変更された場合、図６に示すように、メイン画面の追加領域１５０に“ページ集約”の項目画像（第２項目画像１４４）が表示される。この場合、追加項目データ７４ｄに“ページ集約”の項目についてのデータが追加される。
【００６５】
ただし、追加領域１５０の表示内容（追加項目データ７４ｄ）は、印刷設定で変更された内容を適用（確定）させる指示がある場合に変更後設定データ７４ｃに応じて更新される。このため、印刷設定で変更された内容が確定した場合、次に印刷設定モードが設定されたときに、今回の印刷設定でメイン画面の追加領域１５０に表示された第２項目画像１４４が表示される。
【００６６】
また、印刷設定で変更された内容を確定させる指示がない場合（印刷設定の変更がキャンセルされた場合）には、追加領域１５０の表示内容は更新されず、設定画面１００が表示される前の状態に戻る。ただし、設定画面１００が表示される前の状態に戻るとは、今回の印刷設定で変更された内容が確定されないだけであり、追加領域１５０の表示内容（追加項目データ７４ｄ）が初期化されるわけではない。したがって、設定画面１００が表示される前に、メイン画面の追加領域１５０に１または複数の第２項目画像１４４が既に表示されている場合には、設定画面１００が表示される前の状態に戻ったとしても、今回更新された内容（第２項目画像１４４）が追加領域１５０に表示されないだけであり、既に表示されていた１または複数の第２項目画像１４４が追加領域１５０から消去されることはない。
【００６７】
たとえば、サブ画面に含まれる第２設定項目の設定が変更された場合、ＯＫボタン１３２ａが選択されて設定画面１００が閉じられると、今回の印刷設定で変更された内容（変更後設定データ７４ｃ）が確定する。
【００６８】
一方、サブ画面に含まれる第２設定項目の設定が変更されない場合、ＯＫボタン１３２ａが選択されて設定画面１００が閉じられると、印刷設定の内容は変更されない。
【００６９】
また、適用ボタン１３２ｃが選択されると、今回の印刷設定において、適用ボタン１３２ｃが選択される前に変更された内容が確定する。ただし、適用ボタン１３２ｃが選択された場合は、設定画面１００が閉じられないので、引き続き印刷設定が行われる場合がある。
【００７０】
たとえば、適用ボタン１３２ｃが選択された後に、更にサブ画面に含まれる第２設定項目の設定が変更され、その後に適用ボタン１３２ｃが選択される場合がある。この場合、今回の印刷設定が開始されてから、最後に適用ボタン１３２ｃが選択されるまでに変更された内容が確定する。
【００７１】
また、適用ボタン１３２ｃが選択された後に、ＯＫボタン１３２ａが選択される場合がある。この場合、今回の印刷設定が開始されてから、ＯＫボタン１３２ａが選択されるまでに変更された内容が確定する。
【００７２】
さらに、適用ボタン１３２ｃが選択された後に、キャンセルボタン１３２ｂが選択されて設定画面１００が閉じられる場合がある。たとえば、サブ画面に含まれる第２設定項目の設定が変更された後に、適用ボタン１３２ｃが選択された場合には、その第２設定項目の設定が変更された内容が確定する。つまり、キャンセルボタン１３２ｂが選択されて設定画面１００が閉じられる場合、適用ボタン１３２ｃが選択される前に変更された内容は確定する。一方、キャンセルボタン１３２ｂが選択されて設定画面１００が閉じられる場合、適用ボタン１３２ｃが選択された後に変更された内容は確定しない。
【００７３】
さらにまた、キャンセル”ボタン１３２ｂが選択されて設定画面１００が閉じられる場合であって、今回の印刷設定が開始されてから、キャンセルボタン１３２ｂが選択されるまでに、適用ボタン１３２ｃが選択されない場合がある。この場合、サブ画面に含まれる第２設定項目の設定が変更されたとしても、今回の印刷設定で変更された内容は確定しない。
【００７４】
上記のように、印刷設定で変更された内容が確定された場合、印刷指示画面で印刷実行ボタンが選択されると、印刷設定で変更された内容に応じて印刷が実行される。また、印刷設定で変更された内容が確定されない場合、印刷指示画面において印刷実行ボタンが選択されると、初期設定で印刷が実行される。
【００７５】
情報処理システム１０の上記のような動作は、ユーザ端末１４のＣＰＵ４０がＲＡＭ４４に記憶された印刷設定表示制御プログラムを実行することによって実現される。具体的な処理については、後でフロー図を用いて説明する。
【００７６】
図７は図２に示すユーザ端末１４のＲＡＭ４４のメモリマップ７０の一例を示す図解図である。図７に示すように、ＲＡＭ４４は、プログラム記憶領域７２およびデータ記憶領域７４を含む。プログラム記憶領域７２には、上述したように、印刷設定表示制御プログラムを含む情報処理プログラムが記憶される。この情報処理プログラムは、通信プログラム７２ａ、表示プログラム７２ｂ、操作検出プログラム７２ｃ、印刷設定プログラム７２ｄおよび設定項目管理プログラム７２ｅを含む。また、印刷設定表示制御プログラムは、表示プログラム７２ｂ、印刷設定プログラム７２ｄおよび設定項目管理プログラム７２ｅを含む。
【００７７】
通信プログラム７２ａは、ネットワーク１６を介して、または、ネットワーク１６を介さずに直接、画像形成装置１２または他のユーザ端末１４等の外部のコンピュータと通信するためのプログラムである。
【００７８】
表示プログラム７２ｂは、後述する画像生成データ７４ａを用いて、画像形成装置１２に印刷を実行させる指示を行う印刷指示画面、設定画面１００などのディスプレイ５２に表示する各種の画面に対応する表示画像データを生成し、ディスプレイ５２に出力するためのプログラムである。
【００７９】
操作検出プログラム７２ｃは、入力装置５０が操作されたことに応じて入力制御回路４６から出力される操作信号（操作データ）を取得するためのプログラムである。また、入力装置５０としてタッチパネルが設けられる場合には、入力制御回路４６から出力されるタッチ座標データを取得するためのプログラムでもある。ＣＰＵ４０は、操作検出プログラム７２ｃによって取得された操作データまたはタッチ座標データに応じて、ディスプレイ５２に表示される各種の画面に含まれる各種のボタンやアイコンなどが操作されたかどうかを判断する。
【００８０】
印刷設定プログラム７２ｄは、ユーザの指示に従って、画像形成装置１２で印刷を行う際の印刷設定を行うためのプログラムである。印刷設定を行う場合には、表示プログラム７２ｂに従ってディスプレイ５２に設定画面１００が表示される。具体的には、印刷設定が変更された場合、後述する基準設定データ７４ｂを用いて（コピーして）、その一部または全部を変更したデータである変更後設定データ７４ｃが作成される。ただし、既に確定された変更後設定データ７４ｃが存在する場合には、直前に確定された変更後設定データ７４ｃを用いて、その一部または全部を変更したデータである新たな変更後設定データ７４ｃが作成される。また、印刷処理が実行された場合には、印刷処理が終了したときに変更後設定データ７４ｃが消去される。さらに、印刷設定の変更がキャンセルされた場合には、印刷設定の変更がキャンセルされたときに変更後設定データ７４ｃが消去される。
【００８１】
設定項目管理プログラム７２ｅは、メイン画面の追加領域１５０に追加（表示）される第２設定項目についての追加項目データ７４ｄを更新（上書き）するためのプログラムである。具体的には、設定項目管理プログラム７２ｅは、設定が変更された第２設定項目が存在する場合に、その第２設定項目のデータを変更後追加項目データ７４ｅに追加し、印刷設定で変更された内容を確定させる指示があった場合に、変更後追加項目データ７４ｅで追加項目データ７４ｄを更新するためのプログラムである。
【００８２】
なお、図示は省略するが、プログラム記憶領域７２には、他のアプリケーションプログラムおよび音出力プログラムなどのプログラムも記憶される。
【００８３】
また、ＲＡＭ４４のデータ記憶領域７４には、画像生成データ７４ａ、基準設定データ７４ｂ、変更後設定データ７４ｃおよび追加項目データ７４ｄなどが記憶される。
【００８４】
画像生成データ７４ａは、ディスプレイ５２に表示する各種の画面に対応する表示画像データを生成するためのポリゴンデータまたはテクスチャデータ等のデータである。また、画像生成データ７４ａには、印刷指示画面に対応する印刷指示画面データ、メイン画面に対応するメイン画面データ、第１項目画像１４２に対応する第１項目画像データ、各サブ画面に対応するサブ画面データおよび第２項目画像１４４に対応する第２項目画像データ（追加画像データ）が含まれる。ただし、メイン画面データは、初期状態のメイン画面（図３に相当）に対応するデータである。メイン画面が表示される場合には、メイン画面データ、第１項目画像データおよび第２項目画像データが読み出され、追加領域１５０を除く部分においてはメイン画面データおよび第１項目画像データに対応する画面（画像）が表示され、追加領域１５０においては第２項目画像データに対応する画面（画像）が表示される。ただし、追加項目データ７４ｄが記憶されていない場合は、メイン画面が表示される場合に第２項目画像データが読み出されない。
【００８５】
基準設定データ７４ｂは、画像形成装置１２で印刷を行う際のデフォルトの印刷設定についてのデータである。具体的には、基準設定データ７４ｂは、複数の第１設定項目および複数の第２設定項目のそれぞれの初期設定を示すデータである。印刷設定を変更しないで初期設定で印刷が実行される場合には、基準設定データ７４ｂが読み出され、基準設定データ７４ｂに従って印刷が実行される。
【００８６】
変更後設定データ７４ｃは、複数の第１設定項目および複数の第２設定項目のいずれか一つでも設定内容が変更された場合に、基準設定データ７４ｂをコピーして用いて、その変更された設定内容を反映したデータである。また、変更後の設定で印刷が実行される場合には、変更後設定データ７４ｃが読み出され、変更後設定データ７４ｃに従って印刷が実行される。
【００８７】
追加項目データ７４ｄは、追加領域１５０に追加（表示）される第２項目画像１４４に対応する第２設定項目についてデータである。ただし、追加項目データ７４ｄは、追加領域１５０に表示される第２項目画像１４４が存在しない場合には記憶（登録）されておらず、追加領域１５０に最初に第２項目画像１４４が表示される場合に、後述する変更後追加項目データ７４ｅを用いて登録される。
【００８８】
変更後追加項目データ７４ｅは、設定内容が変更された第２設定項目が存在する場合に、今回変更された第２設定項目についてのデータである。ただし、追加項目データ７４ｄが登録されている場合は、追加項目データ７４ｄをコピーしたデータを用いて、今回変更された第２設定項目についてのデータを追加したデータである。また、今回変更された第２設定項目についてのデータが追加項目データ７４ｄに含まれる場合（既に追加領域１５０にその第２設定項目に対応する第２項目画像１４４が表示されている場合）は、変更後追加項目データ７４ｅは作成されない。さらに、変更後追加項目データ７４ｅが作成された状態で、印刷設定で変更された内容を確定させる指示があった場合に、変更後追加項目データ７４ｅで追加項目データ７４ｄが上書きされる。一方、変更後追加項目データ７４ｅが作成された状態で、印刷設定で変更された内容が確定されずに、印刷設定を終了させる指示があった場合（キャンセルボタン１３２ｂが選択された場合）には、追加項目データ７４ｄが上書きされずに、変更後追加項目データ７４ｅが消去される。
【００８９】
なお、図示は省略するが、データ記憶領域７４には、入力装置５０からの操作データなど、情報処理プログラムの実行に必要な他のデータが記憶されたり、情報処理プログラムの実行に必要なタイマ（カウンタ）やレジスタが設けられたりする。
【００９０】
図８および図９は図２に示したユーザ端末１４のＣＰＵ４０の印刷設定表示処理の一例を示すフロー図である。この印刷設定表示処理は、ユーザの指示によって、印刷設定モードが選択された場合に開始される。
【００９１】
図８に示すように、印刷設定表示処理が開始されると、ＣＰＵ４０は、ステップＳ１で、メイン画面を表示する。ここでは、ＣＰＵ４０の指示の下、表示制御回路に設けられるＧＰＵが、画像生成データ７４ａを用いて、メイン画面（設定画面１００）に対応する画像のデータを生成し、ディスプレイ５２に出力する。以下、画面を表示する場合について同様である。ただし、メイン画面を表示する場合には、ＣＰＵ４０は、追加項目データ７４ｄがＲＡＭ４４に記憶されている場合には、追加項目の表示もＧＰＵに指示する。したがって、追加項目データ７４ｄがＲＡＭ４４に記憶されている場合には、当該追加項目データ７４ｄが示す１または複数の第２設定項目に対応する第２項目画像１４４がメイン画面の追加領域１５０に表示される。
【００９２】
次のステップＳ３では、サブ画面を表示するかどうかを判断する。ここでは、サブタブ１０４が選択されたかどうかを判断する。ステップＳ３で“ＹＥＳ”であれば、つまり、サブタブ１０４が選択された場合は、ステップＳ５で、選択されたサブタブ１０４に対応するサブ画面を表示し、ステップＳ７で、第２設定項目の設定が変更されたかどうかを判断する。ステップＳ７で“ＮＯ”であれば、つまり、第２設定項目の設定が変更されない場合は、図９に示すステップＳ１５に進む。
【００９３】
一方、ステップＳ７で“ＹＥＳ”であれば、つまり、第２設定項目の設定が変更された場合は、ステップＳ８で、変更後設定データ７４ｃが存在するかどうかを判断する。ここでは、後述するステップＳ１７で確定された変更後設定データ７４ｃが存在するかどうかを判断する。ステップＳ８で“ＮＯ”であれば、つまり、変更後設定データ７４ｃが存在しない場合は、ステップＳ９に進む。一方、ステップＳ８で“ＹＥＳ”であれば、つまり、変更後設定データ７４ｃが存在する場合は、ステップＳ１０で、変更後設定データ７４ｃを変更し、ステップＳ１１に進む。ただし、ステップＳ１０で変更後設定データ７４ｃを変更することとは、直前のステップＳ１７で確定された変更後設定データ７４ｃを用いて、その一部または全部を変更した新たな変更後設定データ７４ｃを作成することを意味する。
【００９４】
ステップＳ９では、変更後設定データ７４ｃを作成する。続くステップＳ１１では、変更後追加項目データ７４ｅを作成して、ステップＳ１５に進む。
【００９５】
また、ステップＳ３で“ＮＯ”であれば、つまり、サブタブ１０４が選択されていない場合は、ステップＳ１３で、その他の処理を実行し、ステップＳ１５に進む。その他の処理としては、メイン画面に含まれる第１設定項目の設定が変更されたり、ヘルプモードが実行されたりすることなどが該当する。ただし、第１設定項目の設定が変更される場合、変更後設定データ７４ｃを作成する。
【００９６】
図９に示すように、ステップＳ１５では、適用ボタン１３２ｃが選択されたかどうかを判断する。ステップＳ１５で“ＹＥＳ”であれば、つまり、適用ボタン１３２ｃが選択された場合は、ステップＳ１７で、ステップＳ９で作成した変更後設定データ７４ｃを確定させ、ステップＳ１９で、ステップＳ１１で作成した変更後追加項目データ７４ｅで追加項目データ７４ｄを登録（更新）して、ステップＳ２９に進む。ただし、ステップＳ７で第２設定項目の設定が変更されず、かつ、ステップＳ１３で第１設定項目の設定が変更されない場合、変更後設定データ７４ｃが作成されていないので、ステップＳ１７の処理は実行されない。また、ステップＳ７で第２設定項目の設定が変更されない場合、ステップＳ１９の処理は実行されない。
【００９７】
また、ステップＳ１５で“ＮＯ”であれば、つまり、適用ボタン１３２ｃが選択されない場合は、ステップＳ２１でキャンセルボタン１３２ｂが選択されたかどうかを判断する。ステップＳ２１で“ＮＯ”であれば、つまり、キャンセルボタン１３２ｂが選択されない場合は、ステップＳ２３で、ＯＫボタン１３２ａが選択されたかどうかを判断する。ステップＳ２３で“ＹＥＳ”であれば、つまり、ＯＫボタン１３２ａが選択された場合は、ステップＳ２５で、ステップＳ９で作成した変更後設定データ７４ｃを確定させ、ステップＳ２７で、ステップＳ１１で作成した変更後追加項目データ７４ｅで追加項目データ７４ｄを登録（更新）して、印刷設定表示処理を終了する。
【００９８】
一方、ステップＳ２３で“ＮＯ”であれば、つまり、ＯＫボタン１３２ａが選択されない場合は、ステップＳ２９で、メイン画面を表示するかどうかを判断する。ここでは、メインタブ１０２が選択されたかどうかを判断する。ステップＳ２９で“ＹＥＳ”であれば、つまり、メインタブ１０２が選択された場合は、ステップＳ１に戻る。一方、ステップＳ２９で“ＮＯ”であれば、つまり、サブタブ１０４が選択された場合は、ステップＳ５に戻る。
【００９９】
また、ステップＳ２１で“ＹＥＳ”であれば、つまり、キャンセルボタン１３２ｂが選択された場合は、ステップＳ３１で、ステップＳ９で作成した変更後設定データ７４ｃを消去する。ただし、ステップＳ３１では、直前のステップＳ９で作成した変更後設定データ７４ｃまたは直前のステップＳ１０で変更した変更後設定データ７４ｃを消去する（確定しない）だけである。このため、ステップＳ１７で確定された変更後設定データ７４ｃまたはステップＳ２５で確定された変更後設定データ７４ｃが存在する場合は、ステップＳ１７またはステップＳ２５で確定された印刷設定の内容に戻される。つまり、ステップＳ３１以降では、確定された変更後設定データ７４ｃが存在する場合は、直前に確定された変更後設定データ７４ｃが最新のデータとして扱われる。
【０１００】
続くステップＳ３３では、ステップＳ１１で作成した変更後追加項目データ７４ｅを消去して、印刷設定表示処理を終了する。ただし、ステップＳ３３では、直前のステップＳ１１で作成した変更後追加項目データ７４ｅを消去するだけである。
【０１０１】
この第１実施例によれば、サブ画面に含まれる第２設定項目の設定が変更された場合、設定が変更された第２設定項目に対応する第２項目画像１４４がメイン画面に表示されるようにした。このため、設定が変更された第２設定項目に対応する第２項目画像１４４はメイン画面でも確認することができるので、変更された第２設定項目を容易に確認することができる。
【０１０２】
また、第１実施例によれば、サブ画面に含まれる第２設定項目の設定が変更された場合、その第２設定項目に対応する第２項目画像１４４がサブ画面から消去されることはない。このため、第２設定項目に対応する第２項目画像１４４の表示位置がわかり難くなることを防止することができる。
【０１０３】
さらに、第1実施例によれば、メイン画面が追加領域１５０を含み、第２項目画像１４４がメイン画面の追加領域１５０に表示されるので、ユーザが、第２項目画像１４４が表示される場所を認識しやすくなり、変更された第２設定項目の設定内容を容易に確認することができる。
【０１０４】
なお、第１実施例では、設定画面１００がユーザ端末１４のディスプレイ５２に表示される場合を例に挙げて説明したが、これに限定される必要は無い。画像形成装置１２が表示部を備える場合には、設定画面１００が画像形成装置１２の表示部に表示されるようにしても良い。
【０１０５】
また、第１実施例では、メイン画面における設定項目領域１２０に、予め追加領域１５０が設定されるようにしたが、これに限定される必要は無い。たとえば、メイン画面に第２項目画像１４４が表示されていない場合（追加領域１５０に表示される第２項目画像１４４が存在しない場合）には、設定項目領域１２０に追加領域１５０が設定されなくても良い。この場合、最初の第２項目画像１４４がメイン画面の追加領域１５０に表示されるときに、設定項目領域１２０の一部が追加領域１５０として設定される。
【０１０６】
さらに、メイン画面の追加領域１５０に表示された第２項目画像１４４は、ユーザが所定の操作を行うことによって、消去できるようにしても良い。たとえば、メイン画面の追加領域１５０に表示された第２項目画像１４４の表示範囲内において、コンピュータマウスを用いたダブルクリック、タッチパネルにおけるダブルタップなどの操作が行われた場合にその第２項目画像１４４がメイン画面の追加領域１５０から消去される。
【０１０７】
さらにまた、第１実施例では、第２設定項目の設定が変更されると、その第２設定項目に対応する第２項目画像１４４が、メイン画面の追加領域１５０に追加されるようにしたが、これに限定される必要は無い。たとえば、第２設定項目の設定が変更され、印刷設定で変更された内容を確定させる指示がある場合に、その第２設定項目に対応する第２項目画像１４４が、メイン画面の追加領域１５０に追加されるようにしても良い。また、第２設定項目の設定が変更されたときに、その第２設定項目に対応する第２項目画像１４４をメイン画面の追加領域１５０に追加するかどうかを選択するための選択ウインドウが表示されるようにしても良い。さらに、第２設定項目の設定が変更された場合に、その第２設定項目に対応する第２項目画像１４４をメイン画面の追加領域１５０に追加するかどうかについて、予め設定できるようにしても良い。
【０１０８】
また、追加領域１５０に表示された第２項目画像１４４に対応する第２設定項目の設定が、初期設定（初期値）に変更された場合、その第２項目画像１４４がメイン画面の追加領域１５０から消去（削除）されても良いし、消去されなくても良い。さらに、追加領域１５０に表示された第２項目画像１４４に対応する第２設定項目の設定が、初期設定に変更された場合、その第２項目画像１４４をメイン画面の追加領域１５０から消去するかどうかを選択するための選択ウインドウが表示されるようにしても良い。さらにまた、追加領域１５０に表示された第２項目画像１４４に対応する第２設定項目の設定が、初期設定に変更された場合に、その第２項目画像１４４をメイン画面の追加領域１５０から消去するかどうかについて、予め設定できるようにしても良い。
［第２実施例］
第２実施例の情報処理システム１０は、サブ画面に含まれる第２設定項目の設定が所定期間に変更された回数によって、当該第２設定項目に対応する第２項目画像１４４が、メイン画面の追加領域１５０に表示されたり、メイン画面の追加領域１５０から消去されたりするようにした以外は第１実施例と同じであるため、第１実施例と異なる内容について説明し、重複した説明については省略することにする。
【０１０９】
第２実施例では、サブ画面に含まれる第２設定項目の設定が所定期間に変更された回数（変更回数）が所定の回数を超えた場合に、当該第２設定項目に対応する第２項目画像１４４がメイン画面の追加領域１５０に表示される。たとえば、所定期間は、３０日に設定される。また、所定の回数は、３０回に設定される。ただし、第２設定項目の設定が変更されることとは、印刷設定でその第２設定項目の設定が変更された状態で、印刷設定の内容が確定されることを意味する。また、所定期間は、第２設定項目の設定が最初に変更された日を第１日目としてカウントされる。それ以降では、追加領域１５０に表示されている第２設定項目が変更されると、変更された第２設定項目についての日数がリセットされる。
【０１１０】
また、第２実施例では、メイン画面の追加領域１５０に表示される第２項目画像１４４に対応する第２設定項目の設定が所定期間に変更されなかった回数（不変更回数）が、所定の回数を超えた場合に、当該第２設定項目に対応する第２項目画像１４４が、メイン画面の追加領域１５０から消去される。ただし、第２設定項目の設定が変更されることとは、印刷設定でその第２設定項目の設定が変更されない状態で、印刷設定の内容が確定されることを意味する。
【０１１１】
図１０は第２実施例における設定項目テーブルの一例を示す図解図である。この設定項目テーブルのデータは、ＨＤＤ５４に記憶され、管理される。図１０に示すように、設定項目テーブルには、設定項目名が記述され、設定項目名に対応して、サブタブ名、変更回数、不変更回数およびメイン表示の有無が記述される。
【０１１２】
サブタブ名は、数字または／およびアルファベットで示される。図１０に示す例では、設定画面１００に表示される複数のサブタブ１０４に対応するサブタブ名が示される。変更回数は、３０日の間に、設定が変更された回数が数字で示される。不変更回数は、３０日の間に、設定が変更されなかった回数が数字で示される。メイン表示の有無は、“ＯＮ”または“ＯＦＦ”のいずれかが記述される。設定項目が追加領域１５０に表示された状態であれば、メイン表示の有無に“ＯＮ”が記述され、設定項目が追加領域１５０に表示されない状態であれば、メイン表示の有無に“ＯＦＦ”が記述される。
【０１１３】
たとえば、第２設定項目の設定が３０日の間に変更された回数が、３０回以上である場合には、その第２設定項目に対応する第２項目画像１４４がメイン画面の追加領域１５０に表示される。つまり、第２設定項目のデータが、追加項目データ７４ｄに追加される。
【０１１４】
また、第２設定項目の設定が３０日の間に変更された回数が、３０回未満である場合には、その第２設定項目に対応する第２項目画像１４４はメイン画面の追加領域１５０に表示されない。
【０１１５】
さらに、第２項目画像１４４がメイン画面の追加領域１５０に表示された場合であっても、その後、その第２項目画像１４４に対応する第２設定項目の設定が３０日の間に変更されなかった回数が、３０回以上になった場合には、その第２設定項目に対応する第２項目画像１４４はメイン画面の追加領域１５０から消去される。つまり、その第２設定項目のデータが、追加項目データ７４ｄから削除される。
【０１１６】
図１０に示す例では、“ページ集約”の第２設定項目、“両面印刷”の第２設定項目および“ステープル”の第２設定項目は、３０日の間の変更回数が３０回以上である。これらの第２設定項目のうち、“ページ集約”の第２設定項目および“両面印刷”の第２設定項目は、３０日の間の不変更回数が３０回未満である。したがって、“ページ集約”の第２設定項目および“両面印刷”の第２設定項目に対応する第２項目画像１４４は、メイン画面の追加領域１５０に表示される。つまり、“ページ集約”の第２設定項目および“両面印刷”の第２設定項目についてのデータが、追加項目データ７４ｄに追加される。
【０１１７】
一方、“ステープル”の第２設定項目は、３０日の間の不変更回数が３０回以上である。したがって、“ステープル”の第２設定項目に対応する第２項目画像１４４は、メイン画面の追加領域１５０に表示されない。
【０１１８】
また、“パンチ”の第２設定項目、“スタンプ”の第２設定項目および“印刷モード”の第２設定項目は、３０日の間の変更回数が３０回未満である。これらの第２設定項目に対応する第２項目画像１４４は、不変更回数に関わらず、メイン画面の追加領域１５０に表示されない。
【０１１９】
この第２実施例によれば、所定期間に設定が変更された回数の多い第２設定項目に対応する第２項目画像１４４がメイン画面に表示される。このため、設定を変更する頻度が高い第２設定項目の設定をメイン画面で変更することができるようになり、使い勝手が良い。
【０１２０】
なお、第２実施例では、サブ画面に含まれる第２設定項目の設定が所定期間に変更された回数が所定の回数を超えた場合に、当該第２設定項目に対応する第２項目画像１４４がメイン画面の追加領域１５０に表示されるようにしたが、これに限定される必要は無い。たとえば、サブ画面に含まれる第２設定項目の設定が変更された通算の回数が所定の回数を超えた場合に、当該第２設定項目に対応する第２項目画像１４４がメイン画面の追加領域１５０に表示されるようにしても良い。また、サブ画面に含まれる第２設定項目の設定が、所定の期間内（たとえば過去１０日）に変更された場合に、当該第２設定項目に対応する第２項目画像１４４がメイン画面の追加領域１５０に表示されるようにしても良い。
［第３実施例］
第３実施例の情報処理システム１０では、追加領域１５０に複数の第２項目画像１４４が表示されている場合、追加領域１５０における第２項目画像１４４の表示位置を変更（移動）させることができるようにした以外は第１実施例と同じであるため、第１実施例と異なる内容について説明し、重複した説明については省略することにする。
【０１２１】
第３実施例では、追加領域１５０に複数の第２項目画像１４４が表示されている。複数の第２項目画像１４４は、追加領域１５０において上下方向に並んで配置される。第１実施例では省略したが、追加項目データ７４ｄは、追加領域１５０に表示される第２項目画像１４４の表示位置（並び順）についてのデータを含む。したがって、第２項目画像１４４を追加領域１５０に表示する場合には、追加項目データ７４ｄに含まれる第２項目画像１４４の表示位置（並び順）についてのデータが参照される。
【０１２２】
たとえば、追加領域１５０に新たな第２項目画像１４４が表示される場合は、追加領域１５０における最上部に表示される。このとき、追加領域１５０に既に表示されている第２項目画像１４４は、下側に移動される。また、追加領域１５０に既に表示されている第２項目画像１４４は、その第２項目画像１４４に対応する第２設定項目の設定が変更された場合に、追加領域１５０における最上部に移動される。
【０１２３】
また、第３実施例では、ユーザの指示に応じて、追加領域１５０に表示された第２項目画像１４４の表示位置が移動されることがある。たとえば、ユーザがコンピュータマウスまたはタッチパネルを操作して、追加領域１５０に表示された第２項目画像１４４を上下方向にドラッグ（スライド）させることによって、第２項目画像１４４の表示位置が上下方向に移動される。
【０１２４】
図１１は第３実施例における第２項目画像１４４が移動される前の設定画面１００の一例を示す図解図である。図１２は第３実施例における第２項目画像１４４が移動された後の設定画面１００の一例を示す図解図である。
【０１２５】
第３実施例では、図１１および図１２に示すように、追加領域１５０に複数の第２項目画像１４４が表示されている。図１１に示すように、追加領域１５０の最上部には、“ページ集約”の第２設定項目に対応する第２項目画像１４４が表示され、“ページ集約”の第２項目画像１４４の下側に“ステープル”の第２設定項目に対応する第２項目画像１４４が表示される。以下、説明の便宜上、“ページ集約”の第２設定項目に対応する第２項目画像１４４を第２項目画像１４４ａと表記し、“ステープル”の第２設定項目に対応する第２項目画像１４４を第２項目画像１４４ｂと表記する。
【０１２６】
図１１に示す状態で、ユーザが入力装置５０を操作して第２項目画像１４４ａの表示範囲を指示し、第２項目画像１４４ｂの表示範囲の下側にスライド（ドラッグ）させると、図１２に示すように、第２項目画像１４４ａの表示位置が第２項目画像１４４ｂの表示位置の下側に移動する。また、第２項目画像１４４ｂは、第２項目画像１４４ａが表示されていた追加領域１５０の最上部に移動する。つまり、第２項目画像１４４ａの表示位置と第２項目画像１４４ｂの表示位置が入れ替わる。この場合、追加項目データ７４ｄに含まれる第２項目画像１４４ａの表示位置についてのデータと、第２項目画像１４４ｂの表示位置についてのデータとが更新される。
【０１２７】
以上のように、第３実施例では、追加領域１５０に表示される第２項目画像１４４がドラッグされることによって第２項目画像１４４の表示位置が移動される。この場合、ＣＰＵ４０は、操作検出プログラム７２ｃによって取得されたタッチ座標データに応じて、第２項目画像１４４が上方向または下方向に所定の距離以上移動された場合に、追加項目データ７４ｄに含まれる第２項目画像１４４の表示位置についてのデータを変更（更新）する。
【０１２８】
また、追加領域１５０表示された第２項目画像１４４の表示位置を変更する方法は、上記の方法に限定されない。図示は省略するが、たとえば、追加領域１５０に表示された第２項目画像１４４の表示位置を選択するための複数のラジオボタンを含む選択ウインドウを表示させるようにしても良い。この場合、ユーザが所望の第２項目画像１４４を選択した状態で所定の操作（たとえば右クリック）を行うことによって、その第２項目画像１４４の表示位置についての選択ウインドウが表示される。複数のラジオボタンの各々には、その第２項目画像１４４が現在の表示位置とは異なる表示位置が割り当てられる。たとえば、追加領域１５０の最上部に表示された第２項目画像１４４であれば、追加領域１５０の最上部よりも下側の表示位置に対応するラジオボタンが表示される。そして、表示された選択ウインドウに含まれるラジオボタンが選択されることによって、第２項目画像１４４の表示位置が移動される。
【０１２９】
さらに、追加領域１５０に所定の個数以上の第２項目画像１４４が表示される場合には、一部の第２項目画像１４４が追加領域１５０に表示されなかったり、第２項目画像１４４の一部が追加領域１５０に表示されなかったりする。第１実施例では省略したが、追加領域１５０に所定の個数以上の第２項目画像１４４が表示された場合には、図１１および図１２に示すように、追加領域１５０の右端にスクロールバー１５２が設定（表示）される。
【０１３０】
たとえば、スクロールバー１５２に設けられるノブ１５２ａが上下に移動されることによって追加領域１５０が上下にスクロールされ、すべての第２項目画像１４４を表示させることができる。
【０１３１】
この第３実施例によれば、メイン画面に表示された第２項目画像１４４の表示位置を変更することができる。このため、ユーザが所望の表示位置に第２項目画像１４４を移動させることができ、使い勝手が良い。
［第４実施例］
第４実施例の情報処理システム１０では、追加領域１５０に表示された第２設定項目がアイコン１４６で表示されるようにした以外は第１実施例と同じであるため、第１実施例と異なる内容について説明し、重複した説明については省略することにする。
【０１３２】
図１３は第４実施例における設定画面１００の一例を示す図解図である。図１４は第４実施例における設定画面１００の他の例を示す図解図である。
【０１３３】
第４実施例では、追加領域１５０に表示された第２設定項目が、当該第２設定項目を示すアイコン１４６によって表示される。
【０１３４】
第４実施例では、画像生成データ７４ａは、アイコン１４６の画像に対応する画像データ（アイコン用画像データ）を含む。第２設定項目がアイコン１４６で表示される場合は、アイコン用画像データが用いられて、追加画像データが生成される。
【０１３５】
図１３に示す例では、“ステープル”、“パンチ”、“両面印刷”および“ページ集約”の第２設定項目が、それぞれアイコン１４６で表示される。ただし、アイコン１４６の表示範囲の面積は、第２項目画像１４４の表示範囲の面積よりも小さく設定される。また、アイコン１４６には、そのアイコン１４６が示す第２設定項目の設定内容を表す画像が表示される。たとえば、“ステープル”の第２設定項目を示すアイコン１４６には、ステープル処理が施された用紙の画像が表示される。また、“パンチ”の第２設定項目を示すアイコン１４６には、パンチ処理が施された用紙の画像が表示される。
【０１３６】
アイコン１４６が選択されると、アイコン１４６が示す第２設定項目に対応する第２項目画像１４４に切り替えられる。たとえば、“ページ集約”の第２設定項目を示すアイコン１４６が選択されると、図１４に示すように、“ページ集約”の第２設定項目に対応する第２項目画像１４４が表示され、ページ集約についての設定が変更できるようになる。
【０１３７】
また、第２項目画像１４４が表示された場合、第２項目画像１４４の左側に表示変更ボタン１４８が表示される。この表示変更ボタン１４８が選択されると、第２項目画像１４４に対応する第２設定項目がアイコン１４６で表示される状態に戻る。なお、第２項目画像１４４が表示された状態で、表示変更ボタン１４８が選択されない場合は、第２項目画像１４４が表示された状態のままである。
【０１３８】
ただし、アイコン１４６が選択された場合の動作は上述した動作に限定されない。たとえば、アイコン１４６が選択された場合、アイコン１４６が示す第２設定項目の設定を変更するための別のウインドウが表示されるようにしてもよい。この場合、別のウインドウは、ディスプレイ５２の最前面（設定画面１００よりも手前側）に表示される。また、別のウインドウには、第２設定項目に対応する第２項目画像１４４が表示される。
【０１３９】
また、アイコン１４６が選択された場合、アイコン１４６が示す第２設定項目が含まれるサブ画面に遷移するようにしてもよい。
【０１４０】
さらに、“両面印刷”の設定など、第２設定項目の設定内容が設定値を選択するようなものではなく、或る機能のＯＮ／ＯＦＦを切り替えるような設定内容であれば、アイコン１４６を選択することによって、その第２設定項目の機能のＯＮ／ＯＦＦを切り替えられるようにしても良い。また、このような第２設定項目であれば、その第２設定項目に対応する第２項目画像１４４が追加領域１５０に表示されるときからアイコン１４６で表示されるようにしてもよい。
【０１４１】
さらにまた、第２設定項目の設定が所定期間に変更された回数によって、その第２設定項目がアイコン１４６で表示されるようにしてもよい。たとえば、第２設定項目の設定が所定期間に変更された回数が所定の回数を超えた場合に、その第２設定項目がアイコン１４６で表示されるようにしてもよい。また、アイコン１４６で表示された第２設定項目の設定が所定期間に変更されなかった回数が、所定の回数を超えた場合に、その第２設定項目に対応する第２項目画像１４４に切り替えられるようにしてもよい。
【０１４２】
この第４実施例によれば、第２設定項目が第２項目画像１４４よりも表示範囲の面積が小さいアイコン１４６で表示されるので、追加領域１５０に多くのアイコン１４６を表示させることができる。
【０１４３】
なお、第３実施例および第４実施例の変形は、第２実施例にも適用することができる。また、第４実施例の変形は、第３実施例にも適用することができる。
【０１４４】
さらに、上述の実施例で挙げた具体的な構成等は一例であり、実際の製品に応じて適宜変更することが可能である。また、上述の実施例で示したフロー図の各ステップは、同じ結果が得られるのであれば、処理される順番は適宜変更することが可能である。
【符号の説明】
【０１４５】
１０  …情報処理システム
１２  …画像形成装置
１４  …ユーザ端末
１６  …ネットワーク
【図１】
2018085007.tif 000003
【図２】
2018085007.tif 000004
【図３】
2018085007.tif 000005
【図４】
2018085007.tif 000006
【図５】
2018085007.tif 000007
【図６】
2018085007.tif 000008
【図７】
2018085007.tif 000009
【図８】
2018085007.tif 000010
【図９】
2018085007.tif 000011
【図１０】
2018085007.tif 000012
【図１１】
2018085007.tif 000013
【図１２】
2018085007.tif 000014
【図１３】
2018085007.tif 000015
【図１４】
2018085007.tif 000016